(57)【特許請求の範囲】
【請求項１】
工事現場等でフェンスまたはバリケードを固定するためのおもりとして用いられるアンカーウェイトであって、
天板部と、
前記天板部の両側部から下方に立設された側板部とを備え、
前記天板部は、前記フェンスの支柱が挿入されるための挿入孔が設けられ、
前記側板部は、前記バリケードの一の横桟に引っ掛けるための引掛凹部が設けられていることを特徴とするアンカーウェイト。
【請求項２】
前記天板部は、表面に天板凸部が設けられるとともに、裏面に別のアンカーウェイトの前記天板凸部が嵌り込むための天板凹部が設けられている請求項１に記載のアンカーウェイト。
【請求項３】
前記天板部は、表面に別のアンカーウェイトの側板部の底部が嵌り込むための第２の天板凹部が設けられている請求項１または請求項２に記載のアンカーウェイト。
【請求項４】
前記挿入孔は、アンカーウェイトが高さ方向に積み重ねられたときに、高さ方向の同一軸線上に並ぶように配置されている請求項１から請求項３のいずれかに記載のアンカーウェイト。
【請求項５】
前記挿入孔は、天板部の中心部の回りにおいて周方向に等間隔に４つ並んで設けられている請求項４に記載のアンカーウェイト。
【請求項６】
前記引掛凹部は、前記側板部の高さ方向に延びる基端部と、該基端部から前記側板部の幅方向に屈曲する屈曲部と、該屈曲部から前記側板部の幅方向に延びる先端部とを有する請求項１から請求項５のいずれかに記載のアンカーウェイト。
【請求項７】
前記引掛凹部の前記先端部は、前記側板部の底部の方向に膨らむ態様に形成されている請求項６に記載のアンカーウェイト。
【請求項８】
前記引掛凹部の前記先端部は、先端に向かうに従って曲率半径が段階的に縮小する複数の円弧状に形成されている請求項６又は請求項７に記載のアンカーウェイト。
【請求項９】
前記引掛凹部の前記先端部は、先端に向かうに従って間隔が縮小する略三角形状に形成されている請求項６又は請求項７に記載のアンカーウェイト。
【請求項１０】
前記天板部は、固定金具が挿入される金具挿入孔が設けられている請求項１から請求項９のいずれかに記載のアンカーウェイト。
【発明の詳細な説明】
【技術分野】
【０００１】
本発明は、工事現場等でフェンスやバリケードを固定するためのおもりとして用いられるアンカーウェイトに関するものである。
【背景技術】
【０００２】
工事が行われる際、工事現場に一般歩行者・一般車両が進入して事故が発生するのを防止するため、一般歩行者・一般車両が通行可能な道路と工事現場をフェンスやバリケードで仕切る。また、一般歩行者・一般車両用の迂回路を設けるためにフェンスやバリケードで仕切られる場合もある。
【０００３】
ここで、フェンスとは、平行に設けられた２つの支柱と、一方の支柱の側面から他方の支柱の側面に延びる板を備えた壁である。一方、バリケードとは、対向する２つのスタンドと該スタンド間に架設されるポールとアンダーポールを備えた柵である。これら、フェンスとバリケードは、アンカーウェイトが取り付けられることによって地面に固定される。
【０００４】
そこで、従来、特許文献１に開示されるように、フェンス用のアンカーウェイトであって、上面に設けられた挿入孔にフェンスの支柱の足が挿入されることによりフェンスを地面に固定するアンカーウェイトが知られている。
【０００５】
また、特許文献２に開示されるように、バリケード用のアンカーウェイトであって、地面側に形成された股スリットにアンダーポールを差し入れアンダーポールを跨いで設置されることによりバリケードを地面に固定するアンカーウェイトが知られている。
【０００６】
しかしながら、工事現場の作業員にとって、あらかじめ工事現場の詳細な地理的状況を把握することは面倒であり、また工事当日の交通状況を予測することは困難である。このため、事前にフェンス用、バリケード用のアンカーウェイトがそれぞれいくつぐらい必要になるか正確に予測することは困難であった。それゆえ、工事現場にフェンス用、バリケード用のアンカーウェイトを多めに運搬する必要があり、作業者の負担になるとともに運搬コスト・管理コストの無駄が生じていた。
【０００７】
そこで、従来、特許文献３や特許文献４に開示されるように、フェンスとバリケードで兼用できるアンカーウェイトが知られている。
【０００８】
特許文献３に開示されるアンカーウェイトは、台座の一側部の中央部に架設用の単管の少なくとも外径より大きく凹設して台座に垂直に貫通して吊り部を設け、凹設した吊り部を閉じて台座兼重錘を吊り下げ可能にブラケットを側面に配設し、ブラケット側で台座兼重錘を吊り下げ可能にブラケットに単管の外径にそって円弧状に凹ませて、人や車輛の通行規制の移動柵やバリケードの架設用の単管に吊り下げて設置可能としたものである。
【０００９】
特許文献４に開示されるアンカーウェイトは、コンクリートまたは合成樹脂あるいは鋳物で成形した重石本体に、標識類の差込穴を設け、更に下部において引掛金具を設けて成るものである。
【先行技術文献】
【特許文献】
【００１０】
【特許文献１】特開２００１−２１４６１６号公報
【特許文献２】特開２００２−２９４６４６号公報
【特許文献３】特開２０１２−８７５３１号公報
【特許文献４】特開２００３−２７４３６号公報
【発明の概要】
【発明が解決しようとする課題】
【００１１】
しかしながら、特許文献３のアンカーウェイトは、構造が複雑で製造コストが掛かり、工事現場ごとに多数必要とされるアンカーウェイトにとって重大な問題となっていた。
【００１２】
特許文献４のアンカーウェイトは、構造は簡易であるが、差込穴が低い位置に配置されるため、差し込まれたフェンスが倒れやすく、フェンスのアンカーウェイトとして十分に機能しない問題があった。
【００１３】
本発明は、上述の問題に鑑みてなされたものであり、簡易な構成にしてフェンスとバリケードの双方を安定して固定することができるアンカーウェイトを提供することを目的とする。
【課題を解決するための手段】
【００１４】
本発明は、上記目的を達成するために、工事現場等でフェンスまたはバリケードを固定するためのおもりとして用いられるアンカーウェイトであって、天板部と、前記天板部の両側部から下方に立設された側板部とを備え、前記天板部は、前記フェンスの支柱が挿入されるための挿入孔が設けられ、前記側板部は、前記バリケードの一の横桟に引っ掛けるための引掛凹部が設けられていることを特徴とする。
【００１５】
これによれば、側板部により天板部の下方に空間が形成されているため、フェンスの支柱を天板部の挿入孔に深く挿入することができ、フェンスを安定して固定することが可能となる。
【００１６】
また、天板部により側板部が間隔を隔てて設けられているため、側板部をバリケードの横桟の間隔を隔てた複数点に引っ掛けることができ、バリケードを安定して固定することが可能となる。
【００１７】
このように、側板部により天板部の下方に空間が形成される一方、天板部により側板部が間隔を隔てて設けられることにより、天板部と側板部は相互に補完し合うため、簡易な構成にしてフェンスとバリケードの双方を安定して固定することができ、ひいては製造コストを低減することが可能となる。
【００１８】
また、前記天板部は、表面に天板凸部が設けられるとともに、裏面に別のアンカーウェイトの前記天板凸部が嵌り込むための天板凹部が設けられているのが好ましい。これによれば、アンカーウェイトと別のアンカーウェイトが９０°の位相差をなしながら、アンカーウェイトの天板凹部と別のアンカーウェイトの天板凸部が嵌り合うため、複数のアンカーウェイトを天板部同士が近接した嵩張らない状態で積み重ねることができ、容易に収納・運搬することが可能となる。
【００１９】
また、前記天板部は、表面に別のアンカーウェイトの側板部の底部が嵌り込むための第２の天板凹部が設けられているのが好ましい。これによれば、アンカーウェイトと別のアンカーウェイトが同一方向を向きながら、アンカーウェイトの第２の天板凹部と別のアンカーウェイトの側板部の底部が嵌り合うため、複数のアンカーウェイトを高さ方向に安定して積み重ねることができる。
【００２０】
また、前記挿入孔は、アンカーウェイトが高さ方向に積み重ねられたときに、高さ方向の同一軸線上に並ぶように配置されているのが好ましい。これによれば、アンカーウェイトを高さ方向に積み重ねたときに、積み重ねられたアンカーウェイトの挿入孔が高さ方向の同一軸線上に並ぶため、最上段の挿入孔から挿入されたフェンスの支柱は次段の挿入孔にも到達し、次段のアンカーウェイトもおもりとして作用させ得るため、積み重ねたアンカーウェイトをフェンスのおもりとして使用することができる。
【００２１】
また、前記挿入孔は、天板部の中心部の回りにおいて周方向に等間隔に４つ並んで設けられているのが好ましい。これによれば、複数のアンカーウェイトを高さ方向に積み重ねる際に、同一方向を向くように積み重ねる場合と、９０°の位相差をなして積み重ねる場合とのいずれの場合であっても、挿入孔を高さ方向の同一軸線上に並ぶように確実に配置することができる。
【００２２】
また、前記引掛凹部は、前記側板部の高さ方向に延びる基端部と、該基端部から前記側板部の幅方向に屈曲する屈曲部と、該屈曲部から前記側板部の幅方向に延びる先端部とを有するのが好ましい。これによれば、アンカーウェイトをバリケードのおもりとして使用する際に、バリケードの横桟を引掛凹部の基端部から進入させた後、屈曲部を経由して先端部にスライドさせることにより、横桟が引掛凹部に係止されるため、側板部を横桟に確実に引っ掛けることができる。
【００２３】
また、前記引掛凹部の前記先端部は、前記側板部の底部の方向に膨らむ態様に形成されているのが好ましい。これによれば、先端部にスライドされた横桟が先端部の膨らんだ部分に係止されるため、側板部を横桟に確実に引っ掛けることができる。
【００２４】
また、前記引掛凹部の前記先端部は、先端に向かうに従って曲率半径が段階的に縮小する複数の円弧状に形成されているのが好ましい。これによれば、各種直径の横桟と引掛凹部の円弧状部の曲率半径が合致する態様で横桟が引掛凹部に係止されるため、側板部を横桟に確実に引っ掛けることができる。
【００２５】
また、前記引掛凹部の前記先端部は、先端に向かうに従って間隔が縮小する略三角形状に形成されているのが好ましい。これによれば、各種直径の横桟と引掛凹部の略三角形部の間隔が無段階に合致する態様で横桟が引掛凹部に係止されるため、側板部を横桟に確実に引っ掛けることができる。
【００２６】
また、前記天板部は、固定金具が挿入される金具挿入孔が設けられているのが好ましい。これによれば、金具挿入孔に固定金具を挿入し、固定金具にワイヤを接続することにより、ワイヤを介してフェンスまたはバリケードにテンションを作用させることができる。
【発明の効果】
【００２７】
本発明によれば、側板部により天板部の下方に空間が形成されているため、フェンスの支柱を天板部の挿入孔に深く挿入することができ、フェンスを安定して固定することが可能となる。
【００２８】
また、天板部により側板部が間隔を隔てて設けられているため、側板部をバリケードの横桟の間隔を隔てた複数点に引っ掛けることができ、バリケードを安定して固定することが可能となる。
【００２９】
このように、側板部により天板部の下方に空間が形成されている一方、天板部により側板部が間隔を隔てて設けられていることにより、天板部と側板部は相互に補完し合うため、簡易な構成にしてフェンスとバリケードの双方を安定して固定することができ、ひいては製造コストを低減することが可能となる。
【００３０】
したがって、工事現場等において事前にフェンス用、バリケード用のアンカーウェイトがそれぞれいくつぐらい必要になるか正確に予測することができない場合であっても、同一のアンカーウェイトをフェンスとバリケードで兼用することができるため、工事現場等にフェンス用、バリケード用それぞれのアンカーウェイトを多めに運搬する必要がない。このため、作業者の負担を軽減するとともに、アンカーウェイトの製造コスト・運搬コスト・管理コストを低減することが可能となる。
【図面の簡単な説明】
【００３１】
【図１】第１の実施形態に係るアンカーウェイトの斜視図である。
【図２】図１のアンカーウェイトの底面図である。
【図３】図１のアンカーウェイトの側面図である。
【図４】アンカーウェイトの使用例を示す斜視図である。
【図５】アンカーウェイトの他の使用例を示す斜視図である。
【図６】図５のアンカーウェイトの側面図である。
【図７】交互に直交する状態に積み重ねられたアンカーウェイトの斜視図である。
【図８】図７の積み重ねられたアンカーウェイトの縦断面図である。
【図９】同じ方向を向く状態に積み重ねられたアンカーウェイトの斜視図である。
【図１０】アンカーウェイトのその他の使用例を示す斜視図である。
【図１１】（ａ）第２の実施形態、（ｂ）第３の実施形態、および（ｃ）第４の実施形態に係るアンカーウェイトの拡大側面図である。
【発明を実施するための形態】
【００３２】
＜第１の実施形態＞
次に、本発明に係るアンカーウェイトの第１の実施形態について、図１〜図１０を参照しつつ説明する。なお、以下、図１のＸ軸方向を奥行方向、Ｙ軸方向を幅方向、Ｚ軸方向を高さ方向として説明する。  
【００３３】
アンカーウェイト１は、工事現場等でフェンスＦまたはバリケードＢを固定するためのおもりとして用いられる金属製のアンカーウェイトであって、表面に錆止めの塗装が施されている。このアンカーウェイト１は、図１に示すように、天板部２と、天板部２の両側部２１から下方に立設された２つの側板部３とを備えている。
【００３４】
前記天板部２は、図１に示すように、矩形状に形成されており、幅方向の長さが奥行方向の長さより大きく形成されている。本実施形態では、天板部２は、幅方向の長さが３６０ｍｍ、奥行方向の長さが２７０ｍｍ、高さ方向の長さ（厚み）が３０ｍｍに形成されている。
【００３５】
前記天板部２は、表面の中央部において高さ方向に突出した天板凸部２２が設けられている。この天板凸部２２は、図１に示すように、正方形の板状に形成されており、中心部（本実施形態では金具挿入孔２４の中心部）の回りに挿入孔２３が設けられている。この挿入孔２３の直径は、種々のフェンスＦの支柱の直径より大きく形成されており、本実施形態では、３４ｍｍに形成されている。
【００３６】
前記挿入孔２３には、アンカーウェイト１をフェンスＦのおもりとして使用する場合に、フェンスＦの支柱１００が挿入される。フェンスＦの支柱１００は、挿入孔２３に挿入されると、挿入孔２３を貫通し、天板部２の下方の空間を通過した後、アンカーウェイト１が設置されている地面に到達する。このため、挿入孔２３に挿入されたフェンスＦの支柱１００は、地面と、天板部２の高さの挿入孔２３とに支承される。したがって、アンカーウェイト１は、地面に立設されたフェンスＦの支柱１００を所定の高さの挿入孔２３により支承することができ、フェンスＦを安定して固定することが可能となる。
【００３７】
また、前記挿入孔２３は、周方向に等間隔に４つ並んで設けられている。このため、後述するように、アンカーウェイト１と別のアンカーウェイト１が９０°の位相差をなしながら、アンカーウェイト１の天板凹部２６と別のアンカーウェイト１の天板凸部２２を嵌め合って、複数のアンカーウェイト１を高さ方向に積み重ねると、各アンカーウェイト１の挿入孔２３は、図７および図８に示すように、高さ方向に隣接しながら同一軸線上に並ぶ。而して、同一軸線上に並んだ挿入孔２３に最上段のアンカーウェイト１の挿入孔２３から挿入されたフェンスＦの支柱１００は、最上段の挿入孔２３に隣接した次段のアンカーウェイト１の挿入孔２３にも到達する。これにより、次段のアンカーウェイト１もフェンスＦの支柱１００に対しておもりとして作用しうるため、図７に示す積み重ねた２つのアンカーウェイト１をフェンスＦのおもりとして使用することができる。
【００３８】
また、前記天板凸部２２は、図１に示すように、中心部に固定金具Ｇが挿入される金具挿入孔２４が設けられている。この金具挿入孔２４には、上方からボルト状の固定金具Ｇが挿入され、下方において固定金具Ｇが蝶ナット（図示略）により締め付けられる。これにより、図１０に示すように、固定金具Ｇをアンカーウェイト１に容易に取り付けることができる。そして、固定金具Ｇがワイヤに接続されることにより、アンカーウェイト１はワイヤを介してフェンスＦまたはバリケードＢにテンションを作用させることができる。また、固金具Ｇは蝶ナット（図示略）で締め付けられるため、アンカーウェイト１に対する向きを自由に調整することができる。さらに、固定金具Ｇは、蝶ナット（図示略）が取り外されることにより、アンカーウェイト１から容易に取り外され得る。
【００３９】
また、前記天板部２は、図２に示すように、裏面の中央部において、矩形状に延びる凸条２５が形成され、凸条２５の内側に天板凹部２６が形成されている。この天板凹部２６は、水平方向の大きさが前記天板凸部２２の水平方向の大きさよりわずかに大きく形成されている。このため、図７および図８に示すように、アンカーウェイト１と別のアンカーウェイト１が９０°の位相差をなしながら、アンカーウェイト１の天板凹部２６と別のアンカーウェイト１の天板凸部２２が嵌り合うため、複数のアンカーウェイト１を天板部３同士が近接した嵩張らない状態で積み重ねることができ、容易に収納・運搬することが可能となる。
【００４０】
また、前記天板部２は、図１に示すように、両側部２１の表側に第２の天板凹部２７が設けられている。この第２の天板凹部２７は、奥行方向を長手方向とし、別のアンカーウェイト１の側板部３の底部３１が嵌り込む矩形状に形成されている。このため、図９に示すように、アンカーウェイト１と別のアンカーウェイト１が同一方向を向きながら、アンカーウェイト１の第２の天板凹部２７と別のアンカーウェイト１の側板部３の底部３１が嵌り合うため、複数のアンカーウェイト１を高さ方向に安定して積み重ねることができ、容易に収納・運搬することが可能となる。
【００４１】
また、前記天板部２は、図１および図８に示すように、両側部２１の裏側に手掛部２１１が設けられている。この手掛部２１１は、側板部３が両側部２１の内側にオフセットして立設されることにより形成されている。このため、ユーザは、手掛部２１１に手も掛けてアンカーウェイト１を持ち上げることができる。
【００４２】
前記側板部３は、図１に示すように、矩形状に形成されており、奥行方向の長さが高さ方向の長さより大きく形成されている。なお、本実施形態では、側板部３は、奥行方向の長さが２７０ｍｍ、高さ方向の長さが７５ｍｍ、幅方向の長さ（厚み）が３０ｍｍに形成されている。
【００４３】
前記側板部３は、図３に示すように、奥行方向の片側に引掛凹部３２が設けられている。
この引掛凹部３２は、図３に示すように、側板部３の高さ方向に延びる基端部３２１と、基端部３２１から奥行方向（側板部３の幅方向）に屈曲する屈曲部３２２と、屈曲部３２２から奥行方向（側板部３の幅方向）に延びる先端部３２３を有する鉤型に形成されている。このため、バリケードＢの横桟２００を引掛凹部３２の基端部３２１から進入させた後、屈曲部３２２を経由して先端部３２３にスライドさせることにより、横桟２００が引掛凹部３２に係止されるため、側板部３を横桟２００に確実に引っ掛けることができる。なお、引掛凹部３２の幅は、種々のバリケードＢの横桟２００の直径より大きく形成されており、本実施形態では、５０ｍｍに形成されている。
【００４４】
また、前記側板部３は、図３に示すように、底部３１の奥行方向の両端部において、段部３１１が設けられている。この段部３１１は、底面から所定長さ内側の位置に底面と平行に形成されている。これによれば、アンカーウェイト１の段部３１１が別のアンカーウェイト１の第２の天板凹部２７の縁に乗り上げるため、アンカーウェイト１の側板部３の底部３１と別のアンカーウェイト１の第２の天板凹部２７が確実に嵌り合うことができる。
【００４５】
以上のような構成のアンカーウェイト１は、側板部３により天板部２の下方に空間が形成されているため、フェンスＦの支柱１００を天板部２の挿入孔２３に深く挿入することができる。このため、天板部２はフェンスＦの支柱１００を所定の高い位置で支承することができ、アンカーウェイト１はフェンスＦを安定して固定することが可能となる。
【００４６】
また、天板部２により側板部３が間隔を隔てて設けられているため、側板部３をバリケードＢの横桟２００の間隔を隔てた複数点に引っ掛けることができる。このため、側板部３は横桟２００に安定して引っ掛かることができ、アンカーウェイト１はバリケードＢを安定して固定することが可能となる。
【００４７】
このように、アンカーウェイト１は、側板部３により天板部２の下方に空間が形成される一方、天板部２により側板部３が間隔を隔てて設けられることにより天板部２と側板部３は相互に補完し合うため、簡易な構成にしてフェンスＦとバリケードＢの双方を安定して固定することができ、ひいては製造コストを低減することが可能となる。
【００４８】
次に、アンカーウェイト１の使用法について述べる。
【００４９】
はじめに、フェンスＦのおもりとして使用する場合について図４を参照しつつ説明する。
【００５０】
まず、ユーザは、複数のアンカーウェイト１をフェンスＦの支柱１００間と同一の間隔で地面に設置する。次に、フェンスＦの各支柱１００の脚部を各アンカーウェイト１の挿入孔２３に挿入する。
【００５１】
而して、挿入孔２３に挿入されたフェンスＦの支柱１００は、挿入孔２３を貫通し、天板部２の下方の空間を通過した後、アンカーウェイト１が設置されている地面に到達する。このため、挿入孔２３に挿入されたフェンスＦの支柱１００は、地面と、天板部２の高さの挿入孔２３とに支承される。したがって、アンカーウェイト１は、地面に立設されたフェンスＦの支柱１００を所定の高さの挿入孔２３により支承することができ、フェンスＦを安定して固定することが可能となる。
【００５２】
これにより、図４に示すように、アンカーウェイト１をフェンスＦのおもりとして使用することができる。
【００５３】
次に、バリケードＢのおもりとして使用する場合について図５および図６を参照しつつ説明する。
【００５４】
まず、ユーザは、バリケードＢを地面に設置する。次に、アンカーウェイト１を手で持って操作することにより、バリケードＢの横桟２００をアンカーウェイト１の引掛凹部３２の基端部３２１から進入させた後、屈曲部３２２を経由して先端部３２３にスライドさせる。最後に、アンカーウェイト１から手を離す。
【００５５】
而して、アンカーウェイト１は、図６に示すように、天板部２の裏面が地面と対向する態様で地面に対し傾斜した姿勢で静止する。このとき、引掛凹部３２の先端部３２３が横桟２００に係止され、側板部３を横桟２００に確実に引っ掛けることができる。
【００５６】
これにより、図５に示すように、アンカーウェイト１をバリケードＢのおもりとして使用することができる。なお、このとき、アンカーウェイト１は、地面に支承されていなくてもよいが、地面に支承されていることが好ましい。
【００５７】
次に、複数のアンカーウェイト１を積み重ねてフェンスＦのおもりとして使用する場合について図７および図８を参照しつつ説明する。
【００５８】
まず、ユーザは、アンカーウェイト１を地面に設置する。
【００５９】
次に、このアンカーウェイト１の上に別のアンカーウェイト１を９０°の位相差をなして配置する。そして、アンカーウェイト１と別のアンカーウェイト１が９０°の位相差をなしながら、アンカーウェイト１の天板凹部２６と別のアンカーウェイト１の天板凸部２２を嵌め合って、複数のアンカーウェイト１を高さ方向に積み重ねる。このとき、各アンカーウェイト１の挿入孔２３は、中心部の周方向に等間隔に並んで４つ設けられているため、図８に示すように、高さ方向に隣接しながら同一軸線上に並ぶ。
【００６０】
最後に、最上段のアンカーウェイト１の挿入孔２３からフェンスＦの支柱１００の脚を挿入する。このとき、同一軸線上に互いに並んだ挿入孔２３に最上段の挿入孔２３から挿入されたフェンスＦの支柱１００は、最上段の挿入孔２３に隣接した次段の挿入孔２３にも到達する。したがって、次段のアンカーウェイト１も、フェンスＦの支柱１００を所定の高さの挿入孔２３により支承することができる。
【００６１】
これにより、図７に示す積み重ねたアンカーウェイト１をフェンスＦのおもりとして使用することができる。フェンスＦが大型であって支柱１００の脚が長い場合に、アンカーウェイト１をこのように使用することが好ましい。
【００６２】
次に、テンションを作用させるおもりとして使用する場合を図１０を参照しつつ説明する。
【００６３】
まず、ユーザは、図１０に示すように、アンカーウェイト１の金具挿入孔２４に上方から固定金具Ｇを挿入し、金具挿入孔２４の下方において固定金具Ｇを蝶ナット（図示略）により締め付けることにより、アンカーウェイト１に固定金具Ｇを取り付ける。次に、固定金具Ｇとワイヤの一端を接続し、ワイヤの他端とフェンスＦまたはバリケードＢを接続する。最後に、アンカーウェイト１をフェンスＦまたはバリケードＢから遠ざけ、ワイヤにテンションを発生させる。
【００６４】
これにより、ワイヤを介してフェンスＦまたはバリケードＢにテンションを作用させるおもりとして使用することができる。
【００６５】
次に、収納・運搬する場合について、２つの使用法を図７および図９を参照しつつ説明する。
【００６６】
第１の使用法は、図７に示すように、アンカーウェイト１の上に別のアンカーウェイト１を９０°の位相差をなして配置し、アンカーウェイト１の天板凹部２６と別のアンカーウェイト１の天板凸部２２を嵌め合って、複数のアンカーウェイト１を高さ方向に積み重ねる。
【００６７】
これによれば、アンカーウェイト１と別のアンカーウェイト１が９０°の位相差をなしながら、アンカーウェイト１を天板部２同士が近接した嵩張らない状態で複数のアンカーウェイト１を積み重ねることができ、アンカーウェイト１を容易に収納・運搬することが可能となる。
【００６８】
第２の使用法は、図９に示すように、アンカーウェイト１の上に別のアンカーウェイト１を同一方向を向くように配置し、アンカーウェイト１の第２の天板凹部２７と別のアンカーウェイト１の側板部３の底部３１を嵌め合って、複数のアンカーウェイト１を高さ方向に積み重ねる。
【００６９】
これによれば、アンカーウェイト１と別のアンカーウェイト１が同一方向を向きながら、アンカーウェイト１の第２の天板凹部２７と別のアンカーウェイト１の側板部３の底部３１が嵌り合うため、複数のアンカーウェイト１を安定して積み重ねることができ、アンカーウェイト１を容易に収納・運搬することが可能となる。
【００７０】
＜第２の実施形態＞
次に、本発明に係るアンカーウェイトの第２の実施形態について図１１（ａ）を参照しつつ説明する。
【００７１】
第２の実施形態において、引掛凹部３２の先端部３２３は、図１１（ａ）に示すように、側板部３の底部３１の方向に膨らむ態様に形成されている。
【００７２】
アンカーウェイト１は、図６に示すように、天板部２の裏面が地面と対向する態様で地面に対し傾斜した静止姿勢において、引掛凹部３２の先端部３２３の底部３１側が横桟２００の下方に配置される。したがって、この先端部３２３の底部３１側に底部３１の方向に膨らんだ部分３２３ａが形成されているため、側板部３を横桟２００に確実に引っ掛けることができる。具体的には、図１１（ａ）に示すように、先端部３２３の底部３１側の膨らんだ部分３２３ａが横桟２００Ａに係止され、側板部３を横桟２００Ａに確実に引っ掛けることができる。
【００７３】
＜第３の実施形態＞
次に、本発明に係るアンカーウェイトの第３の実施形態について、図１１（ｂ）を参照しつつ説明する。    
【００７４】
第３の実施形態において、引掛凹部３２の先端部３２３は、先端に向かうに従って曲率半径が段階的に縮小する複数の円弧状に形成されている。本実施形態では、引掛凹部３２の先端部３２３は、図１１（ｂ）に示すように、先端に向かうに従って曲率半径が３段階に縮小する円弧状部３２３ａ、３２３ｂ、３２３ｃが形成されている。
【００７５】
これによれば、各種直径の横桟２００と引掛凹部３２の円弧状部３２３ａ、３２３ｂ、３２３ｃの曲率半径が合致する態様で横桟２００が引掛凹部３２に係止されるため、側板部３を横桟２００に確実に引っ掛けることができる。具体的には、図１１（ｂ）に示すように、横桟２００の直径が大きい場合は、直径の大きな横桟２００Ａと円弧状部３２３ａの曲率半径が合致して横桟２００Ａが引掛凹部３２に係止される。横桟２００の直径が中程度の場合は、直径が中程度の横桟２００Ｂと円弧状部３２３ｂの曲率半径が合致して横桟２００Ｂが引掛凹部３２に係止される。横桟２００の直径が小さい場合は、直径の小さな横桟２００Ｃと円弧状部３２３ｃの曲率半径が合致して横桟２００Ｃが引掛凹部３２に係止される。
【００７６】
＜第４の実施形態＞
次に、本発明に係るアンカーウェイトの第４の実施形態について、図１１（ｃ）を参照しつつ説明する。
【００７７】
第４の実施形態において、引掛凹部３２の先端部３２３は、図１１（ｃ）に示すように、先端に向かうに従って間隔が縮小する略三角形状に形成されている。
【００７８】
これによれば、各種直径の横桟２００と引掛凹部３２の略三角形部の間隔が無段階に合致する態様で横桟２００が引掛凹部３２に係止されるため、側板部３を横桟２００に確実に引っ掛けることができる。具体的には、図１１（ｃ）に示すように、直径の大きな横桟２００Ａ、直径が中程度の横桟２００Ｂおよび直径の小さな横桟２００Ｃなど各種直径の横桟２００Ａ、２００Ｂ、２００Ｃと略三角形部の間隔が無段階に合致して横桟２００Ａ、２００Ｂ、２００Ｃが引掛凹部３２に係止される。
【００７９】
なお、上記実施形態において、天板凸部２２は、正方形の板状に形成されているとしたが、八角形の板状や円板状に形成されていてもよい。
【００８０】
また、挿入孔２３は、天板凸部２２の中央部の回りにおいて周方向に等間隔に４つ設けられているとしたが、１つ設けられてもよいし、その他の複数個設けられてもよい。複数個設けられた場合は、複数のアンカーウェイト１を高さ方向に積み重ねたときに、挿入孔２３が高さ方向の同一軸線上に並ぶように配置されるのが好ましい。
【００８１】
また、金具挿入孔２４は、天板凸部２２の中央部に設けられるとしたが、その他の位置に設けられてもよいし、複数個設けられてもよい。
【００８２】
また、天板部２は、表面に天板凸部２２が設けられ、裏面に別のアンカーウェイト１の天板凸部２２が嵌り込むための天板凹部２６が設けられているとしたが、裏面に天板凸部２２が設けられ、表面に別のアンカーウェイト１の天板凸部２２が嵌り込むための天板凹部２６が設けられていてもよい。さらに、天板凸部２２と天板凹部２６は必ずしも設けられなくてもよい。
【００８３】
また、引掛凹部３２は、側板部３の高さ方向に延びる基端部３２１と、基端部３２１から奥行方向（側板部３の幅方向）に屈曲する屈曲部３２２と、屈曲部３２２から奥行方向（側板部３の幅方向）に延びる先端部３２３を有する鉤型に形成されているとしたが、Ｔ字型などその他の形状に形成されていてもよい。
【００８４】
以上、図面を参照して本発明の実施形態を説明したが、本発明は、図示した実施形態のものに限定されない。図示された実施形態に対して、本発明と同一の範囲内において、あるいは均等の範囲内において、種々の修正や変形を加えることが可能である。
【符号の説明】
【００８５】
１…アンカーウェイト
２…天板部
２１…両側部
２２…天板凸部
２３…挿入孔
２４…金具挿入孔
２６…天板凹部
２７…第２の天板凹部
３…側板部
３１…底部
３２…引掛凹部
３２１…基端部
３２２…屈曲部
３２３…先端部
Ｆ…フェンス
１００…支柱
Ｂ…バリケード
２００…横桟  
Ｇ…固定金具
【要約】
【課題】簡易な構成にしてフェンスとバリケードの双方を安定して固定することができる工事現場用のアンカーウェイトを提供する。
【解決手段】アンカーウェイト１は、工事現場でフェンスまたはバリケードを固定するためのおもりとして用いられるアンカーウェイトであって、天板部２と、天板部２の両側部２１から下方に立設された側板部３とを備え、天板部２は、フェンスの支柱が挿入されるための挿入孔２３が設けられ、側板部３は、バリケードの一の横桟に引っ掛けるための引掛凹部３２が設けられている。側板部３により天板部２の下方に空間が形成されている一方、天板部２により側板部３が間隔を隔てて設けられていることにより、天板部２と側板部３は相互に補完し合うため、簡易な構成にしてフェンスとバリケードの双方を安定して固定することができ、ひいては製造コストを低減することが可能となる。
【選択図】図１【図１】
0005702017.tif 000002
【図２】
0005702017.tif 000003
【図３】
0005702017.tif 000004
【図４】
0005702017.tif 000005
【図５】
0005702017.tif 000006
【図６】
0005702017.tif 000007
【図７】
0005702017.tif 000008
【図８】
0005702017.tif 000009
【図９】
0005702017.tif 000010
【図１０】
0005702017.tif 000011
【図１１】
0005702017.tif 000012